(57)【要約】【課題】  本人が選択した個人情報が取引される個人情報仲介システムを提供すること。【解決手段】  本発明の個人情報仲介システムは、ローカルネットワーク（２６）に接続され、ユーザ（１）に使用されるユーザ端末（１０）と、ユーザ（１）の個人情報を収集する利用業者（５）に使用される利用業者端末（５０）と、ユーザ端末（１０）および利用業者端末（５０）とネットワーク（９０）で接続され、個人情報の仲介を行うサーバ（３０）と、を具備する。【選択図】  図１
2005025663.tif 000002
【特許請求の範囲】
【請求項１】
ローカルネットワークに接続され、ユーザに使用されるユーザ端末と、
前記ユーザの個人情報を収集する利用業者に使用される利用業者端末と、
前記ユーザ端末および前記利用業者端末とネットワークで接続され、前記個人情報の仲介を行うサーバと、
を具備し、
前記ユーザ端末は
個人情報提供プログラムを実行する演算部と、
前記サーバと通信し、かつ、前記ローカルネットワークに接続された機器と通信を行う通信部と、
前記演算部の制御により情報の表示を行う表示部と、
を備え、
前記個人情報提供プログラムは、
前記ユーザに関する基本情報と、前記ローカルネットワークに接続された機器の機器情報と、を含む個人情報を収集する個人情報収集手段と、
前記サーバと通信し、前記利用業者の識別子と、前記利用業者が収集する前記個人情報の収集項目と、を含む利用業者情報を受信して、表示する利用業者情報表示手段と、
前記ユーザが選択した前記利用業者情報に含まれる前収集項目に対応する前記個人情報を選択して、前記サーバに送付する情報送信手段と、
を含み、
前記利用業者端末は、
前記利用業者情報を前記サーバに送信し、前記サーバから前記収集項目に対応する前記個人情報を受信する送受部と、
を具備し、
前記サーバは、
前記個人情報収集プログラムを、前記ユーザ端末に配信するプログラム配信部と、
前記利用業者情報を前記ユーザ端末に配信し、前記ユーザが指定した前記利用業者の前記収集項目に対応する前記個人情報を前記ユーザ端末から取得し、前記個人情報を前記利用業者端末に送信する個人情報仲介部と、
を具備する、
個人情報仲介システム。
【請求項２】
前記利用業者情報は、前記個人情報を提供する前記ユーザへ供される報酬に関する報酬情報含み、
前記利用業者端末は、前記個人情報を受信する事により、前記サーバに前記サーバに支払う課金データと前記ユーザに供する報酬データを送信する課金・報酬処理部を具備し、
前記サーバは、前記報酬データを前記ユーザ端末に送信する、
請求項１に記載された個人情報仲介システム。
【請求項３】
前記機器情報は、前記ユーザ端末の使用情報および通信情報を含む、
請求項１または２に記載された個人情報仲介システム。
【請求項４】
前記機器情報は、前記ユーザ端末に接続されている通信機器もしくは家電の利用履歴に関する情報を含む、
請求項１〜３の何れか一項に記載された個人情報仲介システム。
【請求項５】
前記機器情報は、前記ユーザ端末に接続されている映像受信機の利用履歴に関する情報を含む、
請求項１〜４の何れか一項に記載された個人情報仲介システム。
【請求項６】
ネットワークを介して、ユーザが使用するユーザ端末と、個人情報を利用する利用業者が使用する利用業者端末との間の仲介を行うサーバであって、
前記ユーザに関する基本情報と、前記ユーザ端末と接続されている機器の機器情報と、を含む個人情報を収集する個人情報収集プログラムを、前記ユーザ端末に配信するプログラム配信部と、
前記利用業者の業者名および収集する前記個人情報の収集項目を含む利用業者情報を前記ユーザ端末に配信し、前記ユーザが指定した前記利用業者の前記収集項目に対応する前記個人情報を前記ユーザ端末から取得し、前記個人情報を前記利用業者端末に送信する個人情報仲介部と、
を具備する、
サーバ。
【請求項７】
前記利用業者情報は、前記個人情報を提供した前記ユーザへの報酬情報含み、
さらに、前記利用業者端末への課金データと、前記ユーザへの報酬データを処理する課金情報処理部を具備する、
請求項６に記載されたサーバ。
【請求項８】
前記機器情報は、さらに、前記ユーザ端末の使用情報および通信情報を含む、
請求項６または７に記載されたサーバ。
【請求項９】
前記機器情報は、前記ユーザ端末に接続されている通信機器もしくは家電の利用履歴に関する情報を含む、
請求項６〜８の何れか一項に記載されたサーバ。
【請求項１０】
前記機器情報は、前記ユーザ端末に接続されている映像受信機の利用履歴に関する情報を含む、
請求項６〜９の何れか一項に記載されたサーバ。
【請求項１１】
ネットワークを介して個人情報利用業者が使用する利用業者端末との仲介を行うサーバと接続され、かつローカルネットワークに接続された、ユーザに使用されるユーザ端末であって、
個人情報提供プログラムを実行する演算部と、
前記サーバと通信し、かつ、前記ローカルネットワークに接続された機器と通信を行う通信部と、
前記演算部の制御により情報の表示を行う表示部と、
を具備し、
前記個人情報提供プログラムは、
前記ユーザに関する基本情報と、前記ローカルネットワークに接続された機器の機器情報と、を含む個人情報を収集する個人情報収集手段と、
前記サーバと通信し、前記個人情報利用業者の識別子と、前記個人情報利用業者が収集する前記個人情報の収集項目と、を含む利用業者情報を受信して、表示する利用業者情報表示手段と、
前記ユーザが選択した前記利用業者情報に含まれる前収集項目に対応する前記個人情報を選択して、前記サーバに送付する情報送信手段と、
を含む
ユーザ端末。
【請求項１２】
前記個人情報提供プログラムは、前記サーバから配信される、
請求項１１に記載されたユーザ端末。
【請求項１３】
前記利用業者情報は、前記個人情報を提供する前記ユーザへの報酬情報含む、
請求項１１または１２に記載されたユーザ端末。
【請求項１４】
前記機器情報は、さらに、前記ユーザによる操作履歴に関する情報情報およびアクセス情報を含む、
請求項１１〜１３の何れか一項に記載されたユーザ端末。
【請求項１５】
前記機器情報は、前記ローカルネットワークに接続されている通信機器もしくは家電の利用履歴に関する情報を含む、
請求項１１〜１４の何れか一項に記載されたユーザ端末。
【請求項１６】
前記機器情報は、前記ローカルネットワークに接続されている映像受信機の利用履歴に関する情報を含む、
請求項１１〜１５の何れか一項に記載されたユーザ端末。
【請求項１７】
ユーザの使用されるユーザ端末にインストールされ、前記ユーザ端末によって実行される個人情報収集プログラムであって、
前記ユーザに関する基本情報を収集するステップと、
前記ユーザ端末とローカルネットワークで接続されている機器の機器情報を収集するステップと、
情報を仲介するサーバから、前記個人情報を利用する利用業者に関する利用業者情報を取得するステップと、
前記利用業者情報を表示部に表示するステップと、
前記使用者の指定により、前記利用業者を選択するステップと、
前記利用業者情報に含まれる収集項目に対応する前記個人情報を抽出するステップと、
抽出した前記個人情報を前記サーバに送信するステップと、
を含む、
個人情報収集プログラム。
【請求項１８】
前記利用業者情報は、前記個人情報を提供することで、前記利用業者から供される報酬情報を含む、
請求項１７に記載された個人情報収集プログラム。
【請求項１９】
前記機器情報は、前記ユーザによる前記ユーザ端末の利用履歴に関する情報を含む、
請求項１７または１８に記載された個人情報収集プログラム。
【請求項２０】
前記機器情報は、前記ローカルネットワークに接続されている通信機器もしくは家電の利用履歴に関するデータを含む、
請求項１７〜１９の何れか一項に記載された個人情報収集プログラム。
【請求項２１】
前記機器情報は、前記ローカルネットワークに接続されている映像受信機の利用履歴に関する情報を含む、
請求項１７〜２０の何れか一項に記載された個人情報収集プログラム。
【発明の詳細な説明】
【技術分野】
【０００１】
本発明は、情報提供仲介システムに関し、特に個人情報を収集するユーザ端末と、ユーザが選択した利用業者の使用する利用業者端末とを仲介する情報提供仲介システムに関する。
【背景技術】
【０００２】
氏名、住所、電話番号、メールアドレスに例示される個人情報が商品として取引される場合がある。このような取引では、個人情報に関する本人自身が、どのデータが取引されているか知らないで取引が行われる場合がある。また、この個人情報の取引に関して本人は、何ら報酬を受けることがない。
具体的には、ネット上の購買や会員登録で入力するデータが、個人情報として取引される場合がある。
【０００３】
本人が、了承した個人情報が取引されることが好ましい。本人が提供する個人情報の項目を選択することができることが好ましい。本人が利用業者を選択することができ、選択した利用業者に個人情報を提供できることが好ましい。さらに、本人が個人情報を提供することで、代償として何らかの報酬を得られることが好ましい。
本人が使用する機器の使用履歴、Ｗｅｂページへのアクセス履歴、視聴したテレビ番組の履歴、その他、ユーザ本人の嗜好情報を個人情報として提供できるシステムが望まれる。
【０００４】
情報カテゴリを入力して該情報を蓄積する情報配信サーバと、前記情報配信サーバより情報を受け取るための個人用情報端末と、前記エンドユーザの情報を登録し、かつ該情報の更新された情報を蓄積し管理する情報管理サーバと、前記個人用情報端末で実行したデータの履歴を記録するログ収集装置と、該ログの収集を蓄積するログ集積サーバと、集積されたログ情報からエンドユーザの情報を解析する解析装置とを備える情報解析システムに関する技術が開示されている。（例えば特許文献１）
このシステムでは、利用者の嗜好情報を、インターネット環境を利用して嗜好や趣味の情報を逐次収集して分析してマーケットのリサーチに適用するようにした趣味・嗜好解析システム及びマーケットリサーチ方法を提示することを課題としている。
【０００５】
ネットワークを介して、ユーザとサービス提供者の間の仲介を行う仲介制御装置において、前記ユーザから送信された依頼情報の種類にもとづいて、前記ユーザの個人情報の開示する範囲を決定し、抽出する抽出手段と、抽出した前記個人情報を依頼内容と共に、前記サービス提供者に利用可能とする処理手段と、を有することを特徴とする仲介制御装置に関する技術が開示されている。（例えば特許文献２）
この仲介制御装置では、情報の保護を行って信頼性を確保して、仲介制御を行うことを課題としている。抽出手段は、ユーザから送信された依頼情報の種類にもとづいて、ユーザの個人情報の開示する範囲を決定し、抽出する。処理手段は、抽出した個人情報を依頼内容と共に、サービス提供者に利用可能とする。
【０００６】
インターネットサービスプロバイダからインターネット接続サービスを受ける利用者が、前記利用者の個人情報についてその項目別に公開可または公開不可を指定するステップと、前記個人情報を前記プロバイダのデータベースに登録するステップと、インターネットを利用する事業者の要求に応じて、前記インターネットサービスプロバイダが、前記公開可が指定された個人情報を前記事業者に提供または前記利用者のために使用するステップと、を有する個人情報の取引方法に関する技術が開示されている。（例えば特許文献３）
この取引方法では、インターネットを利用する企業、一般ユーザの多様な要求に応えつつ、本来の所有者である一般ユーザ（ＩＳＰの利用者）の関与可能な状況下で、個人情報を取引する方法、システムを提供することを課題としている。本技術では、インターネットサービスプロバイダ（ＩＳＰ）を介して接続サービスを受けるユーザ（利用者）が、自己の個人情報を、たとえば氏名、住所、年齢、ｅｍａｉｌアドレス等その項目毎に公開可または公開不可を指定してＩＳＰに提供する。ＩＳＰは利用者の個人情報に関するデータベースを構築し、利用者が公開可を指定した個人情報についてのみ企業に有償で提供する。企業から得た利益の一部はユーザに還元され、たとえば接続サービス料金の割引という形態で利益を得る。
【０００７】
【特許文献１】特開２００１-２４３２８４号公報
【特許文献２】特開２００１-３５７２１２号公報
【特許文献３】特開２００２−５６１１１号公報
【発明の開示】
【発明が解決しようとする課題】
【０００８】
本発明の目的は、本人が了承した個人情報が取引される個人情報仲介システムを提供することにある。
本発明の他の目的は、本人が提供する個人情報の項目を選択することができ、かつ、本人が利用業者を選択することができ、選択した利用業者に選択した個人情報が提供される個人情報仲介システムを提供することにある。
本発明の更に他の目的は、本人が個人情報を提供することで、代償として何らかの報酬を得られる個人情報仲介システムを提供することにある。
本発明の更に他の目的は、本人が使用する機器の使用履歴、Ｗｅｂページへのアクセス履歴、視聴したテレビ番組の履歴、その他、ユーザ本人の嗜好情報を個人情報として提供できる個人情報仲介システムを提供することにある。
【課題を解決するための手段】
【０００９】
以下に、（発明の実施の形態）で使用する番号・符号を用いて、課題を解決するための手段を説明する。これらの番号・符号は、（特許請求の範囲）の記載と（発明の実施の形態）の記載との対応関係を明らかにするために付加されたものであるが、（特許請求の範囲）に記載されている発明の技術的範囲の解釈に用いてはならない。
【００１０】
本発明の個人情報仲介システムは、ローカルネットワーク（２６）に接続され、ユーザ（１）に使用されるユーザ端末（１０）と、ユーザ（１）の個人情報を収集する利用業者（５）に使用される利用業者端末（５０）と、ユーザ端末（１０）および利用業者端末（５０）とネットワーク（９０）で接続され、個人情報の仲介を行うサーバ（３０）と、を具備する。
ユーザ端末（１０）は、個人情報提供プログラム（１６）を実行する演算部（１１）と、サーバ（３０）と通信し、かつ、ローカルネットワーク（２６）に接続された機器（１８，２２）と通信を行う通信部（１５）と、演算部（１１）の制御により情報の表示を行う表示部（１５）と、を備える。
個人情報提供プログラム（１６）は、ユーザ（１）に関する基本情報と、ローカルネットワーク（２６）に接続された機器（１８、２２）の機器情報と、を含む個人情報を収集する個人情報収集手段と、サーバ（３０）と通信し、利用業者（５）の識別子と、利用業者（５）が収集する個人情報の収集項目と、を含む利用業者情報を受信して、表示する利用業者情報表示手段と、ユーザ（１）が選択した利用業者情報に含まれる前収集項目に対応する個人情報を選択して、サーバ（３０）に送付する情報送信手段と、を含む。
利用業者端末（５０）は、利用業者情報をサーバ（３０）に送信し、サーバ（３０）から収集項目に対応する個人情報を受信する送受部（５２）と、を具備する。
サーバ（３０）は、個人情報収集プログラム（１６）を、ユーザ端末（１０）に配信するプログラム配信部（３７）と、利用業者情報をユーザ端末（１０）に配信し、ユーザ（１）が指定した利用業者（５）の収集項目に対応する個人情報をユーザ端末（１０）から取得し、個人情報を利用業者端末（５０）に送信する個人情報仲介部（３５）と、を具備する。
【００１１】
ユーザ（１）に関する基本情報とは、ユーザ名、ユーザの識別子、メールアドレス、住所、電話番号、性別、年齢、職業、年収に例示される個人的な情報である。
【００１２】
上記利用業者情報は、個人情報を提供するユーザ（１）へ供される報酬に関する報酬情報含む。
利用業者端末（５０）は、個人情報を受信する事により、サーバ（３０）に支払う課金データとユーザ（１）に供する報酬データを作成する課金・報酬処理部（５５）を具備する。
サーバ（３０）は、報酬データをユーザ端末（１０）に送信する。
【００１３】
上記機器情報は、ユーザ端末（１０）の使用情報および通信情報を含む。
【００１４】
上記機器情報は、ユーザ端末（１０）に接続されている通信機器（１８）もしくは家電（２２）の利用履歴に関する情報を含む。
【００１５】
上記機器情報は、ユーザ端末（１０）に接続されている映像受信機の利用履歴に関する情報を含む。
【００１６】
本発明のサーバ（３０）は、ネットワーク（９０）を介して、ユーザ（１）が使用するユーザ端末（１０）と、個人情報を利用する利用業者（５）が使用する利用業者端末（５０）との間の仲介を行うサーバ（３０）である。
本発明のサーバ（３０）は、ユーザ（１）に関する基本情報と、ユーザ端末（１０）と接続されている機器（１８，２２）の機器情報と、を含む個人情報を収集する個人情報収集プログラム（１６）を、ユーザ端末（１０）に配信するプログラム配信部（３７）と、利用業者（５）の業者名および収集する個人情報の収集項目を含む利用業者情報をユーザ端末（１０）に配信し、ユーザ（１）が指定した利用業者（５）の収集項目に対応する個人情報をユーザ端末（１０）から取得し、個人情報を利用業者端末（５０）に送信する個人情報仲介部（３５）と、を具備する。
【００１７】
上記利用業者情報は、個人情報を提供したユーザ（１）への報酬情報含む。
さらに、本発明のサーバ（３０）は、利用業者端末（５０）への課金データと、ユーザ（１）への報酬データを処理する課金情報処理部（３８）を具備する。
【００１８】
上記機器情報は、さらに、ユーザ端末（１０）の使用情報および通信情報を含む。
【００１９】
上記機器情報は、ユーザ端末（１０）に接続されている通信機器（１８）もしくは家電（２２）の利用履歴に関する情報を含む。
【００２０】
上記機器情報は、ユーザ端末（１０）に接続されている映像受信機の利用履歴に関する情報を含む。
【００２１】
本発明のユーザ端末（１０）は、ネットワーク（９０）を介して個人情報利用業者（５）が使用する利用業者端末（５０）との仲介を行うサーバ（３０）と接続され、かつローカルネットワーク（２６）に接続された、ユーザ（１）に使用されるユーザ端末（１０）である。
本発明のユーザ端末（１０）は、個人情報提供プログラム（１６）を実行する演算部（１１）と、サーバ（３０）と通信し、かつ、ローカルネットワーク（２６）に接続された機器（１８，２２）と通信を行う通信部（１５）と、演算部（１１）の制御により情報の表示を行う表示部（１３）と、を具備する。
個人情報提供プログラム（１６）は、ユーザ（１）に関する基本情報と、ローカルネットワーク（２６）に接続された機器（１８，２２）の機器情報と、を含む個人情報を収集する個人情報収集手段と、サーバ（３０）と通信し、個人情報利用業者（５）の識別子と、個人情報利用業者（５）が収集する個人情報の収集項目と、を含む利用業者情報を受信して、表示する利用業者情報表示手段と、ユーザ（１）が選択した利用業者情報に含まれる前収集項目に対応する個人情報を選択して、サーバ（３０）に送付する情報送信手段と、を含む。
【００２２】
本発明のユーザ端末（１０）が実行する個人情報提供プログラム（１６）は、サーバ（３０）から配信される。
【００２３】
本発明のユーザ端末（１０）が受信する利用業者情報は、個人情報を提供するユーザ（１）への報酬情報含む。
【００２４】
本発明のユーザ端末（１０）が収集する機器情報は、さらに、ユーザ（１）による操作履歴に関する情報情報およびアクセス情報を含む。
【００２５】
本発明のユーザ端末（１０）が収集する機器情報は、ローカルネットワーク（２６）に接続されている通信機器（１８）もしくは家電（２２）の利用履歴に関する情報を含む。
【００２６】
本発明のユーザ端末（１０）が収集する機器情報は、ローカルネットワーク（２６）に接続されている映像受信機の利用履歴に関する情報を含む。
【００２７】
本発明の個人情報収集プログラムは、ユーザ（１）の使用されるユーザ端末（１０）にインストールされ、ユーザ端末（１０）によって実行される個人情報収集プログラムであって、以下のステップを含む。
ユーザ（１）に関する基本情報を収集するステップ。
ユーザ端末（１０）とローカルネットワーク（２６）で接続されている機器（１８，２２）の機器情報を収集するステップ。
情報を仲介するサーバ（３０）から、個人情報を利用する利用業者（５）に関する利用業者情報を取得するステップ。
利用業者情報を表示部（１３）に表示するステップ。
使用者の指定により、利用業者（５）を選択するステップ。
利用業者情報に含まれる収集項目に対応する個人情報を抽出するステップ。
抽出した個人情報をサーバ（３０）に送信するステップ。
【００２８】
本発明の個人情報収集プログラムが取得する記利用業者情報は、個人情報を提供することで利用業者（５）から供される報酬情報を含む。
【００２９】
本発明の個人情報収集プログラムが収集する機器情報は、ユーザ（１）によるユーザ端末（１０）の利用履歴に関する情報を含む。
【００３０】
本発明の個人情報収集プログラムが収集する機器情報は、ローカルネットワーク（２６）に接続されている通信機器（１８）もしくは家電（２２）の利用履歴に関するデータを含む。
【００３１】
本発明の個人情報収集プログラムが収集する機器情報は、ローカルネットワーク（２６）に接続されている映像受信機の利用履歴に関する情報を含む。
【発明の効果】
【００３２】
本発明の個人情報仲介システムでは、本人が了承した個人情報が取引される。
本発明の個人情報仲介システムでは、本人が提供する個人情報の項目を選択することができ、かつ、本人が利用業者を選択することができ、選択した利用業者に選択した個人情報を提供することができる。
本発明の個人情報仲介システムでは、本人が個人情報を提供することで、代償として何らかの報酬を得ることができる。
本発明の個人情報仲介システムでは、本人が使用する機器の使用履歴、Ｗｅｂページへのアクセス履歴、視聴したテレビ番組の履歴、その他、ユーザ本人の嗜好情報を個人情報として提供することができる。
【発明を実施するための最良の形態】
【００３３】
本発明の個人情報提供仲介システムでは、ユーザが仲介業者と契約し、ユーザの使用するユーザ端末に、個人情報提供仲介業者から提供される個人情報収集用の情報提供プログラムが導入される。
さらに、ユーザは、ユーザ端末で個人情報提供仲介業者の仲介業者サーバから、個人情報を利用する複数の個人情報利用業者に関する利用業者情報を受信する。利用業者情報は、個人情報利用業者が収集する個人情報の項目と、提供に対する報酬に関する情報を含んでいる。
個人情報利用業者は、個人情報提供仲介業者と契約し、料金を支払って仲介業者サーバに登録されている。
ユーザが利用業者情報から利用業者を選択することで、指定された項目の個人情報が仲介業者サーバに送信される。必須項目以外で提供する個人情報の項目は、ユーザが選択することができる。
送信された個人情報は仲介業者サーバから個人情報利用業者の個人情報収集端末に送信される。ユーザは、個人情報を提供することで、個人情報利用業者から報酬を得る。
このように、ユーザは提供する個人情報の項目を把握して個人情報利用業者を選択することができる。さらに、信用できる個人情報利用業者を選択することができる。また、ユーザは個人情報を提供することで、報酬を受け取ることができる。
【００３４】
さらに、情報提供プログラムが、ユーザ端末とローカルネットワーク等で接続された通信機器や家電およびユーザ端末自体の使用履歴に関する情報を自動的に収集する。この情報を提供することでユーザは、より付加価値の高い個人情報を収集、提供することができる。具体的には、インターネットへのアクセス状況やテレビの視聴番組の情報を個人情報として収集し、提供することができる。さらに、情報提供プログラムが、ユーザの各種操作によりユーザの嗜好情報を作成して個人情報に含めることもできる。
【００３５】
さらに、情報提供プログラムにより収集された個人情報と、ユーザが一度入力し記憶されている個人情報とが自動的に送付されるので、ユーザが異なる利用業者に情報を提供する場合に、何度も同じ個人情報の入力する必要がない。
【００３６】
添付図面を参照して、本発明による個人情報提供仲介システムの実施の形態を以下に説明する。
図１は、個人情報提供仲介システムの概要を示すブロック図である。
本発明の個人情報提供仲介システムは、ユーザ１−１が使用するユーザ端末１０と、個人情報提供仲介業者３が使用する仲介業者サーバ３０と、個人情報利用業者５−１が使用する個人情報収集端末５０を含む。
ユーザ１−ｎ（ｎ＝１，２・・、以下同じ）、ユーザ端末１０―ｎ、個人情報利用業者５−ｎ、個人情報収集端末５０―ｎは複数ある場合がある。
【００３７】
ユーザ端末１０、仲介業者サーバ３０と個人情報収集端末５０は、インターネットに例示されるネットワーク９０で通信可能に接続されている。
【００３８】
図２を参照して、ユーザ端末１０の構成およびユーザ端末１０と家庭内ネットワーク２６で接続された機器が説明される。、
ユーザ端末１０は、個人情報を提供するユーザ１に使用される端末で、ネットワーク通信機能を有するパーソナルコンピュータに例示される。ユーザ端末１０は、家庭内ネットワーク２６に例示されるローカルネットワーク（ＬＡＮ）で、通信機器１８、家電２２と接続されている。ユーザ端末１０は、ローカルネットワーク（ＬＡＮ）で接続されている機器１８，２２の認識、設定の変更、仕様履歴やエラーメッセージの取得をすることができる。
【００３９】
ユーザ端末１０は、演算部１１、記憶部１２、表示部１３、入力部１４、通信部１５を具備する。
【００４０】
演算部１１は、ＣＰＵとメモリーを備える演算装置に例示される。演算部１１には、情報提供プログラム１６が導入される。情報提供プログラム１６は、仲介業者サーバ３０からダウンロードされてインストールされる場合がある。さらに情報提供プログラム１６は、仲介業者サーバ３０により、最新バージョンに合わせて、もしくは収集する個人情報の種類や接続されている機器の種類に合わせてリモートアップデートされる場合がある。
【００４１】
情報提供プログラム１６は、個人情報の収集、利用業者情報の表示、利用業者情報の選択、個人情報の抽出を含む機能を有する。情報提供プログラム１６の動作は、後述される動作の説明において、さらに説明される。
【００４２】
記憶部１２は、ハードディスクに例示される記憶装置である。記憶部１２は、情報提供プログラム１６により収集された個人情報１７を記憶する。
表示部１３は、ディスプレイに例示される表示装置である。表示部１３は、利用業者選択のための画面を表示する。利用業者選択のために利用業者情報を表示した表示部１３の画面の例が、図５を参照して後述される。
【００４３】
入力部１４は、キーボード、マウスに例示される入力装置である。入力部１４はユーザ１による個人情報の入力、利用業者情報の選択、個人情報の選択に使用される。
通信部１５は、モデムを含む通信装置である。通信部１５は、ネットワーク９０、家庭内ネットワーク２６との通信に使用される。
【００４４】
通信機器１８は、パーソナルコンピュータ、電話器、ファクシミリに例示される通信機器に例示される。通信機器１８は、演算部１９．通信部２０、記憶部２１を有し、ユーザ端末１０と家庭内ネットワーク２６で通信可能に接続されている。
家電２２は、いわゆるネット家電で、演算部２３．通信部２４、記憶部２５を有し、ユーザ端末１０と家庭内ネットワーク２６で通信可能に接続されている。
通信機器１８および家電２２の使用履歴、各種ログ、エラーメッセージ、接続情報を、ユーザ端末１０が家庭内ネットワーク２６を介して取得することができる。
【００４５】
図３を参照して、仲介業者サーバ３０の構成が示される。
仲介業者サーバ３０は、個人情報仲介業者３に使用されるサーバに例示される。
仲介業者サーバ３０は、演算部３１、通信部３２、記憶部３３を具備する。
演算部３１は、ＣＰＵとメモリーを含む演算装置に例示される。演算部３１は、ユーザ管理部３４、個人情報仲介／開示制限管理部３５、個人情報利用業者管理部３６、情報提供プログラム配信部３７、課金情報処理部３８を備える。
【００４６】
ユーザ管理部３４は、契約したユーザ１の契約情報、アドレスを含むユーザデータ３９を登録・変更する機能を備える。さらに、ユーザ管理部３４は、個人情報利用業者が個人情報を提供してほしいユーザ１の条件を指定している場合、ユーザデータ３９を検索して対象ユーザ１を選択し、条件に合うユーザ１のユーザ端末１０にのみ利用業者情報を送付する場合がある。その他、ユーザ管理部３４は、ユーザ１の本システムの使用状況、報酬情報、提供されたデータ量や種類をユーザデータ３３に記憶するよう処理する場合がある。
【００４７】
個人情報仲介／開示制限管理部３５は、ユーザ端末１０から個人情報収集端末５０へ、指定された個人情報を仲介する機能を備える。個人情報仲介／開示制限管理部３５は、実際に指定された項目通りの個人情報が個人情報収集端末５０に送受信されているか確認を行う場合もある。
【００４８】
個人情報利用業者管理部３６は、契約した個人情報利用業者に関する個人情報利用業者データ４０を登録・変更する機能を備える。
情報提供プログラム配信部３７は、ユーザ端末１０に、情報提供プログラム１６を、インストールする機能を備える。さらに、情報提供プログラム配信部３７は、情報提供プログラム１６を最新のバージョンに変更し、さらにユーザ端末１０にリモートアップデートする機能を有する。
課金情報処理部３８は、個人情報利用業者５に課金する課金情報を処理する機能を備える。課金情報処理部３８は、ユーザ１に個人情報利用業者５から支払われる報酬の情報を処理する場合もある。
【００４９】
通信部３２は、ネットワーク９０と通信するためのモデムに例示される。
【００５０】
記憶部３３は、ハードディスクに例示される記憶装置である。記憶部３０は、ユーザデータ３９、個人情報利用業者データ４０、情報提供プログラムデータ４１、通信機器・家電データ４２を記憶する。
【００５１】
ユーザデータ３９は、契約しているユーザ１の氏名・アドレス・性別・年齢・職業、年収に例示されるユーザ１の静的個人情報（＝基本情報）を含む。さらに、ユーザデータ３９は、各ユーザ１の過去の個人情報提供量、提供した個人情報の項目、個人情報提供先、ユーザ１が開示を規制している個人情報の項目、ユーザ１が使用しているユーザ端末１０の種類、および家庭内ネットワーク２６に接続されている機器１８、２２の種類、およびユーザ１の嗜好情報を含む場合がある。
【００５２】
個人情報利用業者データ４０は、個人情報収集端末５０から送信され、登録される。個人情報利用業者データ４０は、個人情報利用業者名、そのアドレス、個人情報の必須項目、個人情報に対する報酬に関する情報、情報収集期間を含む利用業者情報を含む。さらに、個人情報利用業者データ４０は、個人情報を提供してほしいユーザ１の指定条件を含む場合がある。具体的には、個人情報利用業者５が飲酒や喫煙に関するデータを収集したい場合、個人情報利用業者データ４０に成人のユーザ１のみの指定を含めることができる。これにより、ユーザ管理部３４がユーザデータ３９を検索して成人のユーザ１のみに、利用業者情報を送付することができる。
【００５３】
情報提供プログラムデータ４１は、ユーザ端末１０に供給される情報提供プログラム１６をインストールするためのデータを含む。
通信機器・家電データ４２は、情報提供プログラム１６が通信機器や家電機器の情報を収集するための通信機器や家電に関する情報を含む。具体的には、通信機器・家電データ４２は、通信機器１８や家電２２と通信するための仕様や、備えている機能を含む。これにより、通信機器１８や家電２２からどのような種類の情報を収集できるかが判断できる。
【００５４】
図４を参照して、個人情報収集端末５０の構成が示される。
個人情報収集端末５０は、個人利用業者５に使用されるコンピュータに例示される。個人情報収集端末５０は、演算部５１、通信部５２、記憶部５３を具備する。
演算部５１は、ＣＰＵとメモリーを含む演算装置に例示される。演算部５１は、個人情報収集・処理部５４、課金・報酬処理部５５を備える。
個人情報収集・処理部５４は、利用業者情報の送信、受信した個人情報の処理、データベースへの登録・記憶動作を行う機能を備える。
課金・報酬処理部５５は、受信した個人情報に基づき、仲介業者サーバ３０への課金データ、ユーザ１への報酬データの作成・送信を行う。
【００５５】
通信部５２は、ネットワーク９０と通信するためのモデムに例示される。
【００５６】
記憶部５３は、ハードディスクに例示される記憶装置に例示される。記憶部５３は、個人情報データ５６、個人情報収集項目データ５７、仲介業者サーバデータ５８を含む。
個人情報データ５６は、仲介業者サーバ３０を介して取得した個人情報を記憶するデータベースに例示される。
個人情報収集項目データ５７は、個人情報利用業者５が提供を求める個人情報の項目、個人情報の提供を求めるユーザ１の条件指定、報酬の情報を含む。
仲介業者サーバデータ５８は、契約した仲介業者サーバのアドレスデータ、契約による課金算出データを含む。
【００５７】
次に、図５を参照して、ユーザ端末１０の表示部１３に表示される利用業者選択のための選択画面６０の例が説明される。
ユーザ端末１０のの演算部１１は、情報定提供プログラム１６を実行して、仲介業者サーバ３０から利用業者情報を取得して、表示部１３に、図５に例示される利用業者選択のための選択画面６０を表示する。
選択画面６０は、複数の利用業者情報が表示される。選択画面６０は、利用業者ごとに、情報提供可否選択欄７０、個人情報提供先候補欄６１、静的個人情報欄６２、動的個人情報欄６３を含む。
【００５８】
情報提供可否選択欄７０は、その欄に対応する利用業者に個人情報を送信することを選択する場合に、選択情報を入力できるように構成される。図５では、□にチェックを入力することにより、その行に対応する利用業者を選択するように構成されている。
【００５９】
個人情報提供先候補欄６１は、利用業者名７１、必須開示情報７２、期間７３、報酬７４を含む。
利用業者名７１は、利用業者の名前を示す。
必須開示情報７２は、その利用業者を選択した場合、必須で提供する個人情報の項目を示す。
期間７３は、提供する個人情報の対象期間を示す。具体的には、必須開示情報がＴＶで、期間が１/１〜１/３の場合、この期間に視聴したＴＶ番組を提供することを示す。
報酬７４は、個人情報を提供することでユーザ１が得られる報酬を示す。報酬は金銭の場合もしくは、ポイントや景品の場合がある。
その他、個人情報提供先候補欄６１には、個人情報利用業者による個人情報の利用目的や、他者への移転制限などの情報が表示される場合がある
【００６０】
静的個人情報欄６２は、氏名７５、住所７６、メールアドレス７７の表示を含む。
氏名７５、住所７６、メールアドレス７７に例示されている静的個人情報欄６２は、ユーザ１の基本情報である。これらの静的個人情報欄６２（＝基本情報）は、ユーザ１によって一度入力されると記憶部１２に記憶されている。静的個人情報欄６２は、他に、住所、電話番号、性別、年齢、星座、血液型、家族構成、職業、年収、住宅形態、使用カード名に例示される個人の基本情報を含む場合がある。
ユーザ１が静的個人情報欄６２の各欄を選択することにより、選択された個人情報の項目が仲介業者サーバ３０に送信される。
【００６１】
動的個人情報欄８０は、Ｗｅｂアクセス７８、検索キーワード７９、ＴＶ利用履歴８０を含む。動的個人情報欄８０は、収集する時期により予想できない変化をする個人情報に例示される。
Ｗｅｂアクセス７８は、ユーザ１がユーザ端末１０でアクセスしたＷＷＷサイトの情報に例示される。Ｗｅｂアクセス７８は、情報提供プログラム１６により抽出され、個人情報１７に記憶される。
検索キーワード７９は、ユーザ１がユーザ端末１０で、情報検索サイトなどで行った検索に使用したキーワードに例示される。検索キーワード７９は、情報提供プログラム１６により抽出され、個人情報１７に記憶される。
ＴＶ利用履歴８０は、ユーザ１が視聴したテレビ番組の情報を含む。ＴＶ利用履歴８０は、家庭内ネットワーク２６でユーザ端末１０と接続されたテレビの使用履歴を情報提供プログラム１６によって演算部１１が収集し、個人情報１７に記憶する。
ユーザ１が動的個人情報欄８０の各欄を選択することにより、選択された個人情報が仲介業者サーバ３０に送信される。
動的個人情報欄８０は、その他、ネットワーク上での購買の情報や懸賞への応募の通信機器の設定／エラー情報を含む場合がある。
【００６２】
必須開示情報７２で指定されている個人情報は既に選択されており、選択を指定することができないように構成される場合がある。
【００６３】
（動作）
次に、図６を参照して、本発明の個人情報提供仲介システムの動作の例が説明される。
個人情報提供仲介業者３と個人情報利用業者５が契約を行う。個人情報提供仲介業者３と個人情報利用業者５が仲介業者サーバ３０と個人情報収集端末５０を使用して、オンラインで契約を行う場合もある（Ｓａ１）。
個人情報利用業者５は、利用業者情報を仲介業者サーバ３０に送信する。利用業者情報は、個人情報利用業者名、アドレス、収集する個人情報の項目、報酬、期間の情報を含む。
仲介業者サーバ３０は、利用業者情報を個人情報利用業者データ４０に登録する（Ｓａ３）。
【００６４】
さらに、別途、個人情報提供仲介業者３とユーザ１が契約を行う。個人情報提供仲介業者３とユーザ１は、仲介業者サーバ３０とユーザ端末１０を使用してオンラインで契約を行う場合がある（Ｓａ４）。契約により、ユーザ１の氏名やアドレスに例示される基本情報が、仲介業者サーバ３０のユーザデータ３９に登録される場合がある。
仲介業者サーバ３０は、情報提供プログラム配信部３７により情報提供プログラムを、ユーザ端末１０に配信する（Ｓａ５）。
ユーザ端末１０は、情報提供プログラム１６を受信して、インストールする（Ｓａ７）。
演算部１１は、情報提供プログラム１６を実行して個人情報を収集する（Ｓａ７）。ユーザ１が情報提供プログラム１６の指示により個人情報の内の静的個人情報（＝基本情報）を入力する場合がある。
【００６５】
定期的もしくはユーザ１の指定により、仲介業者サーバ３０からユーザ端末１０へ利用業者情報が送信される（Ｓａ８）。情報提供プログラム１６により、利用業者情報が図５で説明された選択画面６０上に表示される。ユーザ１は、選択画面６０上で、利用業者と、送付する個人情報の項目とを選択する（Ｓａ９）。演算部１１が、選択された個人情報を抽出して仲介業者サーバ３０へ送信する（Ｓａ１０）。
なお、利用業者と送付する個人情報の項目を選択した後に、対象の項目の情報を演算部１１が情報提供プログラム１６を使用して収集する場合もある。
【００６６】
仲介業者サーバ３０は、受信した個人情報の内容を確認して、開示されるべきでない情報が含まれないか確認する。具体的には、ユーザ１が事前に開示したくない情報を登録しておき、その項目がないことを仲介業者サーバ３０の個人情報仲介／開示制限管理部３５が確認する。
仲介業者サーバ３０は、個人情報をユーザ１により選択された個人情報利用業者５の個人情報収集端末５０に送信する。
個人情報収集端末５０は、個人情報を受信して、必要な処理を行いデータベースとして個人情報データ５６を作成する。個人情報収集端末５０は、目的に応じて個人情報データ５６を使用する。
さらに、仲介業者サーバ３０は、個人情報の受信により、課金・報酬処理部５５で、ユーザ１への報酬データと個人情報提供仲介業者３への課金データを作成して、仲介業者サーバ３０へ送信する（Ｓａ１２）。仲介業者サーバ３０は、ユーザ１へ報酬データを送信する（Ｓａ１３）。
なお、実際の課金や報酬の送付は、データとして送信される場合、別途振込などにより処理される場合、郵送などで送付される場合がある。
【００６７】
上記のように、本発明の個人情報仲介システムでは、本人が了承した個人情報が取引される。さらに、本人が提供する個人情報の項目を選択することができ、かつ、本人が利用業者を選択することができ、選択した利用業者に選択した個人情報を提供することができる。さらに、本人が個人情報を提供することで、代償として何らかの報酬を得ることができる。
さらに、本人が使用する機器の使用履歴、Ｗｅｂページへのアクセス履歴、視聴したテレビ番組の履歴、その他、ユーザ本人の嗜好情報を個人情報として提供することができる。
【図面の簡単な説明】
【００６８】
【図１】図１は、個人情報提供仲介システムの概要を示すブロック図である。
【図２】図２は、ユーザ端末の構成およびユーザ端末と家庭内ネットワークで接続された機器の構成を示すブロック図である。
【図３】図３は、仲介業者サーバの構成を示すブロック図である。
【図４】図４は、個人情報収集端末の構成を示すブロック図である。
【図５】図５は、ユーザ端末の表示部に表示される利用業者選択のための選択画面の例を示す。
【図６】図６は、本発明の個人情報提供仲介システムの動作を示すフロー図である。
【符号の説明】
【００６９】
１  ユーザ
３  個人情報提供仲介業者
５  個人情報利用業者
１０  ユーザ端末
１１  演算部
１２  記憶部
１３  表示部
１４  入力部
１５  通信部
１６  情報提供プログラム
１７  個人情報
１８  通信機器
１９  演算部
２０  通信部
２１  記憶部
２２  家電２３  演算部
２４  通信部
２５  記憶部
３０  仲介業者サーバ
３１  演算部
３２  通信部
３３  記憶部
３４  ユーザ管理部
３５  個人情報仲介／開示制限管理部
３６  個人情報利用業者管理部
３７  情報提供プログラム配信部
３８  課金情報処理部
３９  ユーザデータ
４０  個人情報利用業者データ
４１  情報提供プログラムデータ
４２  通信機器・家電データ
５０  個人情報収集端末
５１  演算部
５２  通信部
５３  記憶部
５４  個人情報収集・処理部
５５  課金・報酬処理部
５６  個人情報データ
５７  個人情報収集項目データ
５８  仲介業者サーバデータ
６０  選択画面
６１  個人情報提供先候補欄
６２  静的個人情報欄
６３  動的個人情報欄
７０  情報提供可否選択欄
７１  利用業者名
７２  必須開示情報
７３  期間
７４  報酬
７５  氏名
７６  住所
７７  メールアドレス
７８  Ｗｅｂアクセス
７９  検索キーワード
８０  ＴＶ利用履歴
【図１】
2005025663.tif 000003
【図２】
2005025663.tif 000004
【図３】
2005025663.tif 000005
【図４】
2005025663.tif 000006
【図５】
2005025663.tif 000007
【図６】
2005025663.tif 000008